(57)【要約】【課題】熟練者でなくても，配送担当者に分かり易い指示を簡単に出力すること。【解決手段】商品受発注処理支援装置１では、受注入力の作業者が案内図ありを選択すれば、ＣＰＵ１１１は、記憶部１１２に格納された商品受発注処理支援プログラムを実行することにより、現場名入力欄５１５に入力された現場名に対応した案内図１２１と、現場周辺図１２２、伏図１２３との３つの地図データを記憶部１１２から自動的に読み出し、この受発注入力画面５０の地図データ出力欄５１７ａ〜５１７ｃに設定すると共に、これら３つの地図を送り状１３１と共にプリンタ１４から出力させる。これにより、受注入力の作業者が、送り状１３１に案内図１２１と、現場周辺図１２２、伏図１２３との３つの地図データを添付し忘れることを防止することができる。【選択図】図２
2011095821.tif 000002
【特許請求の範囲】
【請求項１】
商品の受注または発注処理等を支援する商品受発注処理支援装置であって、
前記商品の配送先毎に予め配送先までの案内と、配送先における前記商品の置き場所とを示す地図データを記憶した地図データ記憶手段と、
受発注データ入力欄と、前記地図データを送り状と共に出力するか否かを作業者に選択させる地図データ出力選択欄と、を少なくとも有する受発注入力画面をディスプレイに表示する受発注入力画面表示手段と、
前記受発注入力画面表示手段によってディスプレイに前記受発注入力画面が表示され、作業者によって前記受発注データ入力欄に受注データまたは発注データが入力され、前記地図データ出力選択欄にて前記地図データの出力が選択された場合、前記受注データまたは発注データが記載された送り状と、前記地図データが記載された地図とが出力されるように制御する出力制御手段と、
を有する商品受発注処理支援装置。
【請求項２】
請求項１記載の商品受発注処理支援装置において、さらに、
配送する商品の置き場所を配送先毎の前記地図データを参照して指定する置き場所指定情報を予め記憶した置き場所指定情報記憶手段を有し、
前記出力制御手段は、
前記置き場所指定情報記憶手段から配送先に対応した前記置き場所指定情報を読み出し、配送先の前記受注データまたは発注データが記載された送り状に、さらに、配送先の前記置き場所指定情報が記載されるように制御する、商品受発注処理支援装置。
【請求項３】
請求項１または請求項２記載の商品受発注処理支援装置において、さらに、
配送先毎の注意事項を予め記憶した注意事項記憶手段を有し、
前記出力制御手段は、
前記注意事項記憶手段から配送先に対応した前記注意事項を読み出し、配送先の前記受注データまたは発注データが記載された送り状に、さらに、配送先の前記注意事項が記載されるように制御する、商品受発注処理支援装置。
【請求項４】
商品の受注または発注処理等を支援するための商品受発注処理支援プログラムであって、
商品の配送先毎に予め配送先までの案内と、配送先における前記商品の置き場所とを示す地図データを、送り状と共に出力するか否かを作業者に選択させる地図データ出力選択欄と、受発注データ入力欄とを少なくとも有する受発注入力画面をディスプレイに表示するステップと、
ディスプレイに前記受発注入力画面が表示され、作業者によって前記受発注データ入力欄に受注データまたは発注データが入力され、前記地図データ出力選択欄にて前記地図データの出力が選択された場合、前記受注データまたは発注データが記載された送り状と、前記地図データが記載された地図とを出力するステップと、
をコンピュータに実行させるための商品受発注処理支援プログラム。
【発明の詳細な説明】
【技術分野】
【０００１】
本発明は、商品の受注または発注処理等を支援する商品受発注処理支援装置、商品受発注処理支援プログラムに関する。
【背景技術】
【０００２】
建築物の資材調達・加工から、建築現場での施工までには、基礎工事、方枠、鉄筋、配管、電気配線、等建築施工には様々な現場作業が伴い、それぞれの業者がバラバラに作業してひとつの建築物が完成されており、これらの建築資材を建築に関連して設計図面などを電子データで送受信したり、データベースに記憶させて、一つの工事に関連する事業者・関係者間で共有する商品受発注処理支援装置が提案されている（例えば、特許文献１，２参照。）。
【先行技術文献】
【特許文献】
【０００３】
【特許文献１】特開２００２−３３４２３４号公報
【特許文献２】特開２００４−１１６１９８号公報
【発明の概要】
【発明が解決しようとする課題】
【０００４】
しかし、上記背景技術では、受発注処理と、配送処理とが連動していないため、例えば、一の受発注処理が完了して、送り状を出力しても、別途、配送先までの地図を用意して出力しなければならず、熟練者でないと、配送先までの地図を出力や添付し忘れたり、配送先における注意事項を書き忘れ、配送担当者に負担がかかる、等の課題があった。
【０００５】
そこで、本発明は、熟練者でなくても，配送担当者に分かり易い指示を簡単に出力することができる、商品受発注処理支援装置、商品受発注処理支援プログラムを提供することを目的とする。
【課題を解決するための手段】
【０００６】
上記課題を解決するため、本発明の商品受発注処理支援装置は、商品の受注または発注処理等を支援する商品受発注処理支援装置であって、前記商品の配送先毎に予め配送先までの案内と、配送先における前記商品の置き場所とを示す地図データを記憶した地図データ記憶手段と、受発注データ入力欄と、前記地図データを送り状と共に出力するか否かを作業者に選択させる地図データ出力選択欄と、を少なくとも有する受発注入力画面をディスプレイに表示する受発注入力画面表示手段と、前記受発注入力画面表示手段によってディスプレイに前記受発注入力画面が表示され、作業者によって前記受発注データ入力欄に受注データまたは発注データが入力され、前記地図データ出力選択欄にて前記地図データの出力が選択された場合、前記受注データまたは発注データが記載された送り状と、前記地図データが記載された地図とが出力されるように制御する出力制御手段と、を有する商品受発注処理支援装置である。
ここで、前記商品受発注処理支援装置において、さらに、配送する商品の置き場所を配送先毎の前記地図データを参照して指定する置き場所指定情報を予め記憶した置き場所指定情報記憶手段を有し、前記出力制御手段は、前記置き場所指定情報記憶手段から配送先に対応した前記置き場所指定情報を読み出し、配送先の前記受注データまたは発注データが記載された送り状に、さらに、配送先の前記置き場所指定情報が記載されるように制御する、商品受発注処理支援装置でも良い。
また、前記商品受発注処理支援装置において、さらに、配送先毎の注意事項を予め記憶した注意事項記憶手段を有し、前記出力制御手段は、前記注意事項記憶手段から配送先に対応した前記注意事項を読み出し、配送先の前記受注データまたは発注データが記載された送り状に、さらに、配送先の前記注意事項が記載されるように制御する、商品受発注処理支援装置でも良い。
また、本発明の商品受発注処理支援プログラムは、商品の受注または発注処理等を支援するための商品受発注処理支援プログラムであって、商品の配送先毎に予め配送先までの案内と、配送先における前記商品の置き場所とを示す地図データを、送り状と共に出力するか否かを作業者に選択させる地図データ出力選択欄と、受発注データ入力欄とを少なくとも有する受発注入力画面をディスプレイに表示するステップと、ディスプレイに前記受発注入力画面が表示され、作業者によって前記受発注データ入力欄に受注データまたは発注データが入力され、前記地図データ出力選択欄にて前記地図データの出力が選択された場合、前記受注データまたは発注データが記載された送り状と、前記地図データが記載された地図とを出力するステップと、をコンピュータに実行させるための商品受発注処理支援プログラムである。
【発明の効果】
【０００７】
本発明によれば、受注データまたは発注データが記載された送り状と、配送先毎に予め配送先までの案内および配送先における商品の置き場所とを示す地図データが記載された地図とが出力されるので、熟練者でなくても，配送担当者に分かり易い指示を簡単に出力することができる。
【図面の簡単な説明】
【０００８】
【図１】本発明に係る実施形態の商品受発注処理支援装置の接続例を示す図である。
【図２】実施形態の商品受発注処理支援装置の構成例を示す図である。
【図３】実施形態の商品受発注処理支援装置の動作例を示すフローチャートである。
【図４】商品受発注処理支援装置のディスプレイに表示されるメニュー画面の一例を示す図である。
【図５】図４に示す受発注入力画面において、受注番号（Ｎｏ）入力欄を入力した状態を示す図である。
【図６】図４に示す受発注入力画面において、得意先入力欄に得意先コードを入力した状態を示す図である。
【図７】図４に示す受発注入力画面の得意先入力欄に、得意先コードが入力または転記された状態を示す図である。
【図８】得意先入力欄に得意先コードの入力または転記後、現場名の表示を選択した受発注入力画面の状態を示す図である。
【図９】現場名入力欄に現場名を入力後、案内図選択欄に等のチェックをいれた受発注入力画面の状態を示す図である。
【図１０】案内図選択欄にチェックをいれた後、現場名に対応した地図データが読み出され、地図データ出力欄に自動的に設定された受発注入力画面の状態を示す図である。
【図１１】案内図選択欄にチェックをいれた後、地図データ出力欄への設定は作業者に選択させるようにした場合の受発注入力画面の状態を示す図である。
【図１２】（ａ）〜（ｃ）、それぞれ、案内図、地図、伏図の一例を示す図である。
【図１３】本実施形態における送り状の一例を示す図である。
【図１４】本実施形態の商品受発注処理支援装置の動作の他の例を示すフローチャートである。
【図１５】本実施形態の商品受発注処理支援装置の動作のさらに他の例を示すフローチャートである。
【発明を実施するための形態】
【０００９】
次に、本発明に係る商品受発注処理支援装置、商品受発注処理支援プログラムの実施形態について説明する。
【００１０】
図１は、本実施形態の商品受発注処理支援装置の接続例を示す図である。
【００１１】
図１において、商品受発注処理支援装置１は、インターネットやイントラネット等のネットワーク２を介して商品梱包割付支援装置３と接続されている。
【００１２】
商品受発注処理支援装置１は、例えば、本社側に設けられるコンピュータ装置であり、受注処理を支援すると共に、その他、発注処理や、返品処理等の支援を行う装置である。
【００１３】
商品梱包割付支援装置３は、例えば、商品の保管場所である倉庫等に設けられるコンピュータ装置であり、商品の梱包割付や、入出荷処理や、入出庫処理、棚卸処理等を行う装置であり、荷札を発行する荷札プリンタ４と、送り状を印刷する送り状プリンタ５と、地図等を印刷する通常プリンタ６が接続されている一方、バーコードリーダ機能を有するハンディーターミナル７が無線接続されている。なお、荷札プリンタ４と送り状プリンタ５とは、１台のプリンタでも良い。
【００１４】
図２は、本実施形態の商品受発注処理支援装置の構成例を示す図である。
【００１５】
図２において、実施形態の商品受発注処理支援装置１は、汎用のコンピュータ装置であり、装置本体１１に、ディスプレイ１２と、キーボード等の入力部１３と、プリンタ１４とが接続されている。
【００１６】
装置本体１１は、ＣＰＵ１１１と、資材受注発注支援プログラムや、見積もりデータ、与信データ、経理データ、会計データ等の各種データを記憶したＨＤＤやメモリ等の記憶部１１２と、ネットワークインタフェース（Ｉ／Ｆ）１１３等とを有する。
【００１７】
そして、本実施形態の商品受発注処理支援装置１では、ＣＰＵ１１１が記憶部１１２に格納された資材受注発注支援プログラムを実行することにより、本発明の受発注入力画面表示手段および出力制御手段として機能する。また、記憶部１１２は、地図データ記憶手段、置き場所指定情報記憶手段、および注意事項記憶手段として、配送先毎に後述する地図データや、置き場所指定情報、注意事項も、予め記憶している。なお、配送先毎に対応した見積もりデータ、与信データ、経理データ、会計データ等の各種データや、さらにはにはこれらの地図データや、置き場所指定情報、注意事項は、予めデータ入力者が記憶部１１２に入力等して記憶しておく。
【００１８】
次に、本実施形態の商品受発注処理支援装置１の動作を説明する
【００１９】
図３は、本実施形態の商品受発注処理支援装置１の動作の一例を示すフローチャートである。
【００２０】
入力作業者により、本実施形態の商品受発注処理支援装置１に電源が入れられ、キーボード等の入力部１３の操作により、ＨＤＤ等の記憶部１１２に記憶されている商品受発注処理支援プログラムが起動されると、まず、ＣＰＵ１１１は、記憶部１１２から商品受発注処理支援プログラムを読み出して実行することにより、受発注入力画面表示手段として機能して、商品受発注処理支援プログラムのメニュー画面を、ディスプレイ１２に表示する（Ｓ３１０）。
【００２１】
図４は、商品受発注処理支援装置１のディスプレイ１２に表示されるメニュー画面４０の一例を示す図である。
【００２２】
メニュー画面４０には、図４に示すように、受注業務を処理する受注業務欄４１と、得意先返品業務を処理する得意先返品業務欄４２と、発注業務を処理する発注業務欄４３と、在庫処理業務を処理する在庫処理欄４４と、送り状を処理する送り状業務欄４５と、各種データを整理するマスタメンテナンス欄４６と、インターフェース業務を処理するマスタメンテナンス欄４７とを有する。
【００２３】
そして、本実施形態の商品受発注処理支援装置１では、入力作業者により、受注業務欄４１における受注入力ボタン４１１が選択されると、ＣＰＵ１１１は、商品受発注処理支援プログラムを実行することにより、図５に示すような受発注入力画面５０を表示し（Ｓ３２０）、次に説明するように予め記憶部１１２に記憶しておいた各種データを読み出し、受発注入力画面５０に表示して、下記に示すように、入力作業者による各種受発注データの入力処理を支援する（Ｓ３３０）。
【００２４】
図５は、図４に示すメニュー画面４０において、受注入力ボタン４１１が選択された場合に表示される、受発注入力画面５０を示している。
【００２５】
図５に示す受発注入力画面５０において、作業者は、まず、受注番号（Ｎｏ）入力欄５１１に、受注番号（Ｎｏ）を入力する。
【００２６】
受注番号（Ｎｏ）とは、商品の受注毎の識別番号である。本実施形態では、作業者が、受発注入力画面５０において、カーソルを受注番号（Ｎｏ）入力欄５１１に運び、キーボード等の入力部１３のエンター（実行キー）等を押し下げると、、ＣＰＵ１１１は、商品受発注処理支援プログラムを実行することにより、既存の受注番号（Ｎｏ）と重複しない、新規の受注番号（Ｎｏ）を採番する。
【００２７】
図６は、図４に示す受発注入力画面５０において、得意先入力欄５１２に得意先コードを入力した状態を示す図である。
【００２８】
得意先コードの入力は、作業者が直接入力することもできるが、本実施形態では、図６に示すように、作業者が得意先入力欄５１２の横の小ウインドウ５１２ａの表示をクリックすると、ＣＰＵ１１１が、商品受発注処理支援プログラムを実行することにより、得意先検索画面５１３を表示する。
【００２９】
ここで、ＣＰＵ１１１は、得意先検索画面５１３に、予め記憶部１１２に記憶されている得意先名や、担当者名、電話番号を、得意先コード毎に表示しているので、作業者が選択したい得意先の得意先コードを選択して、転記キー（Ｆ１）をクリック等して選択すると、選択された得意先コードや、得意先名や、担当者名、電話番号を得意先入力欄５１２や図７にて示す納品先表示欄５１４に転記する。
【００３０】
図７は、図４に示す受発注入力画面５０の得意先入力欄５１２に、得意先コードが入力または転記された状態を示す図である。
【００３１】
受発注入力画面５０の得意先入力欄５１２に得意先コードが入力または転記されると、ＣＰＵ１１１は、商品受発注処理支援プログラムを実行することにより、その得意先入力欄５１２に入力や転記された得意先コードに基づいて、予め記憶部１１２に得意先コードに対応して記憶されている得意先（納品先）の住所や、名称、電話番号等を読み出し、図７に示すように納品先表示欄５１４に表示する。
【００３２】
これにより、作業者が受発注入力画面５０の得意先入力欄５１２に得意先コードを入力または転記するだけで、ＣＰＵ１１１が商品受発注処理支援プログラムを実行することにより、納品先表示欄５１４に得意先（納品先）の住所や、名称、電話番号等を転記することができ、受注入力の作業者にとっては、とても効率よく受注入力作業をすることが可能となる。
【００３３】
図８は、得意先入力欄５１２に得意先コードの入力または転記後、現場名の表示を選択した受発注入力画面５０の状態を示す図である。
【００３４】
図８に示すように、作業者は、キーボード等の入力部１３を利用して、受発注入力画面５０の現場名入力欄５１５に、現場名を入力する。
【００３５】
そして、送り状に現場名を自動印刷（表示）したいときは、作業者が「送り状に現場名を表示」するか否かを選択する現場名表示確認欄５１６に“レ”印等のチェックをいれると（Ｓ３４０“ＹＥＳ”）、ＣＰＵ１１１は、商品受発注処理支援プログラムを実行することにより、送り状を印刷する際に、現場名入力欄５１５に入力された現場名を、送り状に印刷（表示）して出力するようにプリンタ１４を制御する（Ｓ３５０）。なお、送り状への現場名の印刷は、図１３にて後述する。
【００３６】
これにより、本実施形態によれば、作業者が、送り状に現場名を入力する手間が省略できる。
【００３７】
次に、本発明のポイントの一つである、地図の自動添付処理について説明する。
【００３８】
図９は、現場名入力欄５１５に現場名を入力後、案内図選択欄５１７の“あり”に“レ”印等のチェックをいれた受発注入力画面５０の状態を示す図である。
【００３９】
図９に示すように、作業者が、現場名入力欄５１５に現場名を入力後、案内図選択欄５１７の“あり”に、“レ”印等のチェックをいれて選択すると（Ｓ３６０“ＹＥＳ”）、ＣＰＵ１１１は、商品受発注処理支援プログラムを実行することにより、出力制御手段として機能して、まずは、受発注入力画面５０の備考欄５１８に、配送先である作業現場に工事関係者不在でも資材を納品しても良いことを示す“現場不在時置配可”や、納品時にはヘルメット着用が必要であることを示す“納品時ヘルメット着用”等の、作業現場名毎に予め記憶部１１２に記憶しておいた作業現場毎の注意事項を表示して、その注意事項を配送業者に渡す送り状に印刷して出力するようにプリンタ１４に制御指令を出力すると共に（Ｓ３７０）、送り状を出力する際に、地図データも同時に出力するようにプリンタ１４に制御指令を出す（Ｓ３８０）。
【００４０】
ここで、案内図選択欄５１７の“あり”を選択すると、地図データの自動出力だけではなく、注意情報も自動的に出力するようにしたのは、地図データの出力が必要になる配送先は、配送担当者が案内図を必要としない常時利用している所定の会社や倉庫というよりは、配送担当者が始めて配送する工事現場等の場合が多く、工事現場には“納品時ヘルメット着用”や“現場不在時置配可”等の工事現場等毎の注意事項がある場合が多いからである。なお、案内図選択欄５１７の“あり”を選択しても、その配送先に注意事項が無い場合は、注意事項の自動出力は行われないことになる。これにより、本実施形態によれば、入力作業者が、送り状に作業現場毎の注意事項を入力する手間を省略できると共に、送り状と共に地図データを同時に出力する指示を入力する手間を省略できる。
【００４１】
また、本実施形態では、送り状に作業現場毎の注意事項を記載しているので、配送担当者からすると、送り状を参照することにより、作業現場毎の注意事項を見落とすことを防止することができる。
【００４２】
なお、本実施形態では、送り状に、作業現場毎の注意事項を記載するように説明しているが、本発明では、送り状と共に出力される地図である、案内図や、現場周辺図、伏図等の方に、作業現場毎の注意事項を記載するようにしても勿論よい。また、注意事項のない作業現場では、図３のＳ３７０の現場毎の注意事項追加処理は、省略することができる。
【００４３】
図１０は、案内図選択欄５１７の“あり”に“レ”印等のチェックをいれた後、現場名に対応した地図データが読み出され、地図データ出力欄５１７ａ〜５１７ｃに自動的に設定された受発注入力画面５０の状態を示す図である。
【００４４】
図１０に示すように、入力作業者により、案内図選択欄５１７の“あり”に“レ”印等のチェックが入れられると、ＣＰＵ１１１は、商品受発注処理支援プログラムを実行することにより、出力制御手段として機能して、現場名入力欄５１５に入力された現場名に対応した案内図と、現場周辺図、伏図との３つの地図データが記憶部１１２から自動的に読み出し、この受発注入力画面５０の地図データ出力欄５１７ａ〜５１７ｃに設定すると共に、これら３つの地図が送り状と共にプリンタ１４から出力されるように設定する。ここで、現場名に対応した地図データは、案内図、現場周辺図、伏図の３つに限られることはなく、案内図が一つだけでも、案内図と現場周辺図だけでも、さらには案内図と伏図だけでも、さらには、４つ以上の地図データがあっても勿論よく、要は、商品の配送先毎に予め配送先までの案内と、配送先における前記商品の置き場所とを示す地図データであれば良い。また、これらの地図は、一枚で出力されても、それぞれ別の頁で出力されても、さらには案内図と現場周辺図とは一枚、伏図案内図の別に出力など適宜設定可能である。
【００４５】
ここで、本実施形態では、案内図とは、商品の出荷元から作業現場までの道のりを示す地図データのことである。また、現場周辺図とは、作業現場周辺の地図を示す地図である。また、伏図とは、作業現場における基礎や土台の配置を示す地図である。
【００４６】
なお、案内図選択欄５１７の“あり”に“レ”印等のチェックを入れられた場合、ＣＰＵ１１１は、自動的に現場名入力欄５１５に入力された現場名に対応した案内図と、現場周辺図、伏図との３つの地図データが記憶部１１２から自動的に読み出して出力するのではなく、読み出しまでを自動的に行い、どの地図データを送り状に添付させるのか、作業者に選択させるようにしても勿論よい。
【００４７】
図１１は、案内図選択欄５１７の“あり”に“レ”印等のチェックをいれた後、現場名に対応した地図データが読み出しまでをＣＰＵ１１１が商品受発注処理支援プログラムの実行により、または入力作業者が行い、地図データ出力欄５１７ａ〜５１７ｃへの設定は入力作業者に選択させるようにした場合の受発注入力画面５０の状態を示す図である。
【００４８】
つまり、このような場合は、ＣＰＵ１１１は、商品受発注処理支援プログラムを実行することにより、現場名入力欄５１５に入力された現場名に対応した案内図と、現場周辺図（図１１では、地図と略している。）、伏図（図１１では、伏施図と記している。）との３つの地図データが記憶部１１２から自動的に読み出し、または入力作業者がこれら３つの地図データを記憶部１１２から読み出しこの受発注入力画面５０の地図データ選択欄５１９に表示して、入力作業者に、地図データ出力欄５１７ａ〜５１７ｃへの設定を選択させる。
【００４９】
そして、入力作業者が、上述のようにして、図５に示す受発注入力画面５０の各欄のデータ入力や転記が終わり、図４に示すメニュー画面４０に戻り、受注確定ボタン４１２が押されて、受注が確定し、送り状・荷札発行ボタン４５１または送り状データ出力ボタン４５２等が押され、送り状１３１の印刷または出力が指示されると（Ｓ３９０“Ｙｅｓ”）、ＣＰＵ１１１は、商品受発注処理支援プログラムを実行することにより、出力制御手段として機能して、送り状１３１と共に、配送先に対応した案内図や、地図、伏図等が印刷または出力される（Ｓ３９５）。
【００５０】
図１２（ａ）〜（ｃ）は、それぞれ、案内図、地図、伏図の一例を示す図である。
【００５１】
案内図１２１は、図１１（ａ）に示すように、作業現場までの道順を案内する図であり、最も、縮尺率が大きい図である。
【００５２】
作業現場周辺図１２２は、配送先である作業現場周辺を案内する図であり、案内図よりは縮尺率が小さく、作業現場周辺の道路状況などを示す図である。
【００５３】
伏図１２３は、作業現場における基礎や土台の配置等を示す図であり、これらの地図の中で、最も縮尺率が小さい図である。そして、この伏図には、配送する商品の配置場所、例えば、玄関や、間口、土間等が表示（印刷）されているので、送り状の方に“商品は伏図の玄関土間部分に配置”等というように、伏図１２３上における場所を特定して商品の置き場所を示す置き場所指定情報を記載することにより、送り状と、伏図１２３とにより、商品の置き場所を示すことになる。なお、本発明では、伏図１２３の代わりに、平面図等でも勿論よい。要は、配送先である工事現場等において、配送商品の置き場所がわかるような地図であれば、何でも良い。また、この伏図１２３に、配送商品の置き場所を具体的に記載しても良い。また、商品が複数ある場合には、商品の置き場所を複数指定するようにしても勿論よい。また、商品の置き場所が、玄関等というように決まっているのであれば、置き場所指定情報を省略して、伏図１２３等の地図のみにより、商品の置き場所を示すようにしても良い。この場合、図３におけるＳ３８０の現場毎の商品の置き場所追加処理は、省略することができる。
【００５４】
図１３は、本装置から出力される送り状１３１の一例を示す図である。
【００５５】
図１３に示すように、本装置のプリンタ１４から出力される送り状１３１には、例えば、“○○運輸”等と記載された配送業者欄や、着店コード欄、納品指定欄、お届け先１３１ａ欄、出荷日蘭、受領印欄、バーコードによる送り状番号欄、荷送人欄、個数欄、重量欄、備考欄１３１ｂの各欄が記載される。
【００５６】
そして、本実施形態では、送り状１３１のお届け先欄１３１ａには、ＣＰＵ１１１が商品受発注処理支援プログラムを実行することにより、図１３に示すように、図３のＳ３５０の処理により追加された現場名“○○○○様”が自動的に記載される。
【００５７】
また、送り状１３１の備考欄１３１ｂには、ＣＰＵ１１１が商品受発注処理支援プログラムを実行することにより、図１３に示すように、図３のＳ３７０の処理により追加された現場毎の注意事項である“現場不在時置配可”や“納品時ヘルメット着用”等が記載されたり、図３のＳ３８０の処理により追加された現場毎の配送商品の置き場所を示す“商品は送り状に添付した伏図の玄関土間部分に配置”等の置き場所指定情報が自動的に記載される。
【００５８】
なお、本実施形態の場合、送り状１３１は、例えば、裏面い糊が付いたシール形式で、配送業者用の“お客様控”と、着店用の“着店控”と、発店用の“発店控”の３枚綴りになっており、同じ内容が記載して印刷されるが、配送業者用の“お客様控”の送り状１３１の備考欄１３１ｂにのみ、上記注意事項や置き場所指定情報が記載されるようにしても良い。
【００５９】
従って、本実施形態の商品受発注処理支援装置１によれば、受注入力の作業者が案内図の“あり”を選択すると、ＣＰＵ１１１は、商品受発注処理支援プログラムを実行することにより、現場名入力欄５１５に入力された現場名に対応した案内図１２１と、現場周辺図１２２、伏図１２３との３つの地図データが記憶部１１２から自動的に読み出し、この受発注入力画面５０の地図データ出力欄５１７ａ〜５１７ｃに設定すると共に、これら３つの地図１２１〜１２３を、送り状１３１と共にプリンタ１４から出力させるので、受注入力作業者が送り状に案内図１２１や、現場周辺図１２２、伏図１２３の３つの地図データを添付し忘れることを防止することができる。
【００６０】
また、本実施形態の商品受発注処理支援装置１では、入力作業者が受発注入力画面５０において案内図選択欄５１７の“あり”を選択した場合、送り状１３１の備考欄１３１ｂに、自動的に工事現場等の配送先における商品の置き場所を伏図１２３等を参照して示す置き場所指定情報が記載されるので、配送担当者からすると、送り状１３１に添付された案内図１２１や現場周辺図１２２を参照することにより、資材倉庫から現場まで商品（資材）を運んで行き、伏図１２３と、配送先における商品の置き場所情報が記載された送り状１３１の備考欄１３１ｂとを参照することにより、配送商品の置き場所が正しくわかるので、配送担当者が間違った場所に配送商品を置いたりすることを防止することができる共に、工事作業者にとっては、予め配送商品の置き場所を指定できるので、現場作業がとても効率よく作業することが可能となる。
【００６１】
さらに、本実施形態の商品受発注処理支援装置１では、入力作業者が受発注入力画面５０において案内図選択欄５１７の“あり”を選択した場合、送り状１３１の備考欄１３１ｂに、さらに自動的に当該配送先における注意事項が記載されるので、配送作業者にとっては、注意事項を見落とすことなく、注意事項を正しく守って、商品（資材）を配送することが可能となる。
【００６２】
なお、本実施形態では、図３に示すように、Ｓ３４０の“現場名表示確認欄が選択？”という判断ステップと、Ｓ３６０の“地図データ添付？”という判断ステップと、別々に設け、それぞれの判断ステップで“Ｙｅｓ”と判断した場合には、それぞれ、Ｓ３４０の“現場名を送り状に追加”処理や、Ｓ３６０の“現場毎の注意事項を送り状に追加”処理、Ｓ３７０の“現場毎の商品の置き場所を送り状に追加”の処理を自動的に行うように説明したが、これに限らず、例えば、図１４に示すように、Ｓ３４０の“現場名表示確認欄が選択？”という判断ステップにて、“Ｙｅｓ”と判断した場合には、Ｓ３４０、Ｓ３６０およびＳ３７０の処理を連続して実行するようにしたり、図１５に示すように、Ｓ６４０の“地図データ添付？”という判断ステップにて、“Ｙｅｓ”と判断した場合に、Ｓ３４０、Ｓ３６０およびＳ３７０の処理を連続して実行するようにしても勿論よい。
【００６３】
また、上記実施形態の商品受発注処理支援装置１では、商品として建築資材の受注処理を一例に説明したが、本発明では、これに限らず、例えば、土木工事であれば土木工事に関連する商品、水道工事であれば水道工事に関連する商品、工場であれば工場で使用する商品、というように、受注または発注して配送する商品であれば、何でも対象となる。
【符号の説明】
【００６４】
１  商品受発注処理支援装置
２  ネットワーク
３  商品梱包割付支援装置
４  荷札プリンタ
５  送り状プリンタ
６  通常プリンタ
７  ハンディターミナル
１１  装置本体
１１１  ＣＰＵ（受発注入力画面表示手段、出力制御手段）
１１２  記憶部（注意事項記憶手段、置き場所指定情報記憶手段）
１１３  ネットワークインタフェース
１２  ディスプレイ
１３  キーボード
１４  プリンタ
１３１  送り状
【図１】
2011095821.tif 000003
【図２】
2011095821.tif 000004
【図３】
2011095821.tif 000005
【図４】
2011095821.tif 000006
【図５】
2011095821.tif 000007
【図６】
2011095821.tif 000008
【図７】
2011095821.tif 000009
【図８】
2011095821.tif 000010
【図９】
2011095821.tif 000011
【図１０】
2011095821.tif 000012
【図１１】
2011095821.tif 000013
【図１２】
2011095821.tif 000014
【図１３】
2011095821.tif 000015
【図１４】
2011095821.tif 000016
【図１５】
2011095821.tif 000017